(57)【要約】【課題】多様な撮影を可能とし、またそれを利用した映像提供サービスを実現する。【解決手段】端末装置を所持する利用者は、特定の撮影装置の識別情報を入力することで、その撮影装置による撮影を実行させ、その撮影映像データを得ることができるようにする。従って例えばユーザーが立ち入ることのできない場所に設置されている撮影装置からの映像を撮影させること等ができ、ユーザーにとって多様な撮影が可能となる。また、ユーザーが撮影装置の識別情報を入力して指示した撮影による撮影映像を用いて、映像制作装置が映像コンテンツを作成し、ユーザーに提供する。【選択図】        図１
2004320441.tif 000002
【特許請求の範囲】
【請求項１】
端末装置と、撮影装置とから成る撮影システムであって、
上記端末装置は、
上記撮影装置に付与された識別情報を入力する入力手段と、
端末装置側通信手段と、
上記入力手段で入力された上記識別情報に基づいて、上記端末装置側通信手段により特定の撮影装置に対して映像取得指示を送信させる端末装置側制御手段と、
を備え、
上記撮影装置は、
映像撮影を行うカメラ手段と、
撮影装置側通信手段と、
上記端末装置からの撮影指示が上記撮影装置側通信手段により受信されることに応じて、上記カメラ手段による撮影映像データの取得処理を行い、取得した撮影映像データを上記撮影装置側通信手段により送信出力させる撮影装置側制御手段と、
を備えたことを特徴とする撮影システム。
【請求項２】
上記撮影装置側制御手段は、上記取得処理した撮影映像データを、上記撮影装置側通信手段により、上記端末装置に送信させるとともに、
上記端末装置は、
さらに表示手段を備え、
上記端末装置側制御手段は、上記端末装置側通信手段で受信された撮影映像データを、上記表示手段に表示させることを特徴とする請求項１に記載の撮影システム。
【請求項３】
上記撮影装置側制御手段は、上記取得処理した撮影映像データを、上記撮影装置側通信手段により、上記端末装置に送信させるとともに、
上記端末装置は、
さらに記録手段を備え、
上記端末装置側制御手段は、上記端末装置側通信手段で受信された撮影映像データを、上記記録手段により記録媒体に記録させることを特徴とする請求項１に記載の撮影システム。
【請求項４】
上記端末装置側制御手段は、上記映像取得指示とともに映像転送先識別情報を、上記端末装置側通信手段により特定の撮影装置に送信させ、
上記撮影装置側制御手段は、上記取得処理した撮影映像データを、上記撮影装置側通信手段により、上記映像転送先識別情報で示される装置に対して送信させることを特徴とする請求項１に記載の撮影システム。
【請求項５】
上記撮影システムは、上記撮影装置との間でネットワーク接続された映像制作装置をさらに備え、
上記撮影装置側制御手段は、上記端末装置からの撮影指示に応じて取得した撮影映像データを上記映像制作装置に対して送信出力させ、
また上記端末装置側制御手段もしくは上記撮影装置側制御手段は、少なくとも上記識別情報と時刻情報を含む利用者情報を生成する処理を行い、
上記映像制作装置は、
上記撮影装置から送信されてきた撮影映像データを時刻情報とともに格納する映像データベース手段と、
上記利用者情報を用いて、上記映像データベース手段から撮影映像データを抽出し、抽出した撮影映像データを使用して映像コンテンツを制作する映像制作手段と、
を備えたことを特徴とする請求項１に記載の撮影システム。
【請求項６】
上記端末装置は、さらに記録手段を備えるとともに、上記端末装置側制御手段は、特定の撮影装置に対して映像取得指示を送信することに応じて上記利用者情報を生成し、上記記録手段により記録媒体に記録させる処理を行い、
上記映像制作手段は、上記記録媒体から読み出された上記利用者情報を用いて上記映像データベース手段から撮影映像データを抽出することを特徴とする請求項５に記載の撮影システム。
【請求項７】
上記撮影装置側制御手段は、上記端末装置側制御手段もしくは上記撮影装置側制御手段で生成された利用者情報を、上記映像制作装置に送信する処理を行い、
上記映像制作装置は、利用者情報データベース手段をさらに備え、上記送信されてきた利用者情報を上記利用者情報データベース手段に格納し、
上記映像制作手段は、上記利用者情報データベース手段から読み出された上記利用者情報を用いて上記映像データベース手段から撮影映像データを抽出することを特徴とする請求項５に記載の撮影システム。
【請求項８】
上記端末装置側制御手段は、特定の撮影装置に対して映像取得指示を送信することに応じて上記利用者情報を生成し、上記端末装置側通信手段により上記映像制作装置に送信させる処理を行い、
上記映像制作装置は、利用者情報データベース手段をさらに備え、上記送信されてきた利用者情報を上記利用者情報データベース手段に格納し、
上記映像制作手段は、上記利用者情報データベース手段から読み出された上記利用者情報を用いて上記映像データベース手段から撮影映像データを抽出することを特徴とする請求項５に記載の撮影システム。
【請求項９】
端末装置と撮影装置から成る撮影システムにおける撮影方法として、
上記端末装置において、上記撮影装置に付与された識別情報が入力されることに応じて、上記識別情報に基づいて特定の撮影装置に対して映像取得指示を送信する指示送信ステップと、
上記撮影装置において、上記端末装置からの撮影指示が受信されることに応じて、カメラ手段による撮影映像データの取得処理を行い、取得した撮影映像データを送信出力する映像取得ステップと、
を備えることを特徴とする撮影方法。
【請求項１０】
上記撮影システムは、上記撮影装置との間でネットワーク接続された映像制作装置をさらに備え、
上記映像取得ステップでは、上記撮影装置は、上記取得した撮影映像データを上記映像制作装置に対して送信出力するとともに、
上記端末装置もしくは上記撮影装置において、少なくとも上記識別情報と時刻情報を含む利用者情報を生成する利用者情報生成ステップと、
上記映像制作装置において、上記撮影装置から送信されてきた撮影映像データを時刻情報とともに映像データベース手段に格納する映像格納ステップと、
上記映像制作装置において、上記利用者情報を用いて、上記映像データベース手段から撮影映像データを抽出し、抽出した撮影映像データを使用して映像コンテンツを制作する映像制作ステップと、
をさらに備えたことを特徴とする請求項９に記載の撮影方法。
【請求項１１】
外部の撮影装置に付与された識別情報を入力する入力手段と、
通信手段と、
上記入力手段で入力された上記識別情報に基づいて、上記通信手段により特定の撮影装置に対して映像取得指示を送信させる制御手段と、
を備えたことを特徴とする端末装置。
【請求項１２】
さらに表示手段を備え、
上記制御手段は、送信した上記映像取得指示に応じて上記撮影装置で取得及び送信され、上記通信手段で受信された撮影映像データを、上記表示手段に表示させることを特徴とする請求項１１に記載の端末装置。
【請求項１３】
さらに記録手段を備え、
上記制御手段は、送信した上記映像取得指示に応じて上記撮影装置で取得及び送信され、上記通信手段で受信された撮影映像データを、上記記録手段により記録媒体に記録させることを特徴とする請求項１１に記載の端末装置。
【請求項１４】
さらに記録手段を備え、
上記制御手段は、特定の撮影装置に対して映像取得指示を送信することに応じて、少なくとも上記識別情報と時刻情報を含む利用者情報を生成し、上記記録手段により記録媒体に記録させる処理を行うことを特徴とする請求項１１に記載の端末装置。
【請求項１５】
上記制御手段は、特定の撮影装置に対して映像取得指示を送信することに応じて、少なくとも上記識別情報と時刻情報を含む利用者情報を生成し、上記通信手段により送信させる処理を行うことを特徴とする請求項１１に記載の端末装置。
【請求項１６】
映像撮影を行うカメラ手段と、
通信手段と、
外部の端末装置からの撮影指示が上記通信手段により受信されることに応じて、上記カメラ手段による撮影映像データの取得処理を行い、上記取得した撮影映像データを上記通信手段により送信出力させる制御手段と、
を備えたことを特徴とする撮影装置。
【請求項１７】
上記制御手段は、上記取得処理した撮影映像データを、上記通信手段により、上記撮影指示の送信元の端末装置に送信させることを特徴とする請求項１６に記載の撮影装置。
【請求項１８】
上記制御手段は、上記取得処理した撮影映像データを、上記通信手段により、上記撮影指示とともに上記端末装置から送信されてきた映像転送先識別情報で示される装置に送信させることを特徴とする請求項１６に記載の撮影装置。
【請求項１９】
上記制御手段は、上記取得処理した撮影映像データを、ネットワーク接続された映像制作装置に対して送信することを特徴とする請求項１６に記載の撮影装置。
【請求項２０】
上記制御手段は、上記取得処理に応じて、少なくとも上記識別情報と時刻情報を含む利用者情報を生成し、上記映像制作装置に対して送信することを特徴とする請求項１６に記載の撮影装置。
【請求項２１】
ネットワーク接続された撮影装置から送信されてきた撮影映像データを時刻情報とともに格納する映像データベース手段と、
少なくとも撮影装置の識別情報と撮影の時刻情報とを含む利用者情報を用いて、上記映像データベース手段から撮影映像データを抽出し、抽出した撮影映像データを使用して映像コンテンツを制作する映像制作手段と、
を備えたことを特徴とする映像制作装置。
【請求項２２】
提供された記録媒体から上記利用者情報を読み出す読出手段をさらに備え、
上記映像制作手段は、上記読出手段によって読み出された上記利用者情報を用いて上記映像データベース手段から撮影映像データを抽出することを特徴とする請求項２１に記載の映像制作装置。
【請求項２３】
送信されてきた利用者情報を格納する利用者情報データベース手段をさらに備え、
上記映像制作手段は、上記利用者情報データベース手段から読み出された上記利用者情報を用いて上記映像データベース手段から撮影映像データを抽出することを特徴とする請求項２１に記載の映像制作装置。
【請求項２４】
上記映像制作手段は、抽出した撮影映像データと付加データを用いて映像コンテンツを制作することを特徴とする請求項２１に記載の映像制作装置。
【請求項２５】
上記映像制作手段によって制作された映像コンテンツを、可搬性記録媒体に記録する記録手段を、さらに備えたことを特徴とする請求項２１に記載の映像制作装置。
【請求項２６】
上記映像制作手段によって制作された映像コンテンツを配信する配信手段を、さらに備えたことを特徴とする請求項２１に記載の映像制作装置。
【請求項２７】
上記映像制作手段によって制作された映像コンテンツの提供に応じた課金処理を行う課金手段を、さらに備えたことを特徴とする請求項２１に記載の映像制作装置。
【発明の詳細な説明】
【０００１】
【発明の属する技術分野】
本発明は、利用者に映像を提供するための撮影システム、撮影方法、端末装置、撮影装置、映像制作装置に関するものである。
【０００２】
【従来の技術】
例えばデジタルカメラやカメラ付きの携帯電話等の機器が一般に普及し、ユーザーが日常的に気軽に撮影を行っている。また、これらの撮影装置として利用できる機種や性能も多様化、高機能化、高性能化が進んでいる。
また、デジタルデータとして静止画や動画の撮影を行うことのできる機器では、例えば下記特許文献のように、その撮影装置から撮影したデータを他の機器に送信できるようにしたものも知られている。
【特許文献】
特開２００２−２７１３４
【０００３】
【発明が解決しようとする課題】
しかしながら、従来の撮影装置では、ユーザーが所持するなどして被写体方向を決めて撮影するため、その点で撮影する被写体やアングル等に限度があった。
即ちユーザーが立ち入ることができない場所やアングルにおける撮影はできない。
【０００４】
【課題を解決するための手段】
そこで本発明は、ユーザーがより多様な撮影を行うことが容易にできるようにすること、さらには、ユーザーに対して撮影映像を簡易に提供できるようにすることを目的とする。
【０００５】
本発明の撮影システムは、端末装置と、撮影装置とから成る。そして上記端末装置は、上記撮影装置に付与された識別情報を入力する入力手段と、端末装置側通信手段と、上記入力手段で入力された上記識別情報に基づいて、上記端末装置側通信手段により特定の撮影装置に対して映像取得指示を送信させる端末装置側制御手段とを備える。
上記撮影装置は、映像撮影を行うカメラ手段と、撮影装置側通信手段と、上記端末装置からの撮影指示が上記撮影装置側通信手段により受信されることに応じて、上記カメラ手段による撮影映像データの取得処理を行い、取得した撮影映像データを上記撮影装置側通信手段により送信出力させる撮影装置側制御手段とを備える。
【０００６】
また、上記撮影装置側制御手段は、上記取得処理した撮影映像データを、上記撮影装置側通信手段により、上記端末装置に送信させる。
上記端末装置は、さらに表示手段を備え、上記端末装置側制御手段は、上記端末装置側通信手段で受信された撮影映像データを、上記表示手段に表示させる。
又は上記端末装置は、さらに記録手段を備え、上記端末装置側制御手段は、上記端末装置側通信手段で受信された撮影映像データを、上記記録手段により記録媒体に記録させる。
また上記端末装置側制御手段は、上記映像取得指示とともに映像転送先識別情報を、上記端末装置側通信手段により特定の撮影装置に送信させ、上記撮影装置側制御手段は、上記取得処理した撮影映像データを、上記撮影装置側通信手段により、上記映像転送先識別情報で示される装置に対して送信させる。
【０００７】
さらに本発明の撮影システムは、上記撮影装置との間でネットワーク接続された映像制作装置を備えるようにする。
そして上記撮影装置側制御手段は、上記端末装置からの撮影指示に応じて取得した撮影映像データを上記映像制作装置に対して送信出力させる。また上記端末装置側制御手段もしくは上記撮影装置側制御手段は、少なくとも上記識別情報と時刻情報を含む利用者情報を生成する処理を行う。そして上記映像制作装置は、上記撮影装置から送信されてきた撮影映像データを時刻情報とともに格納する映像データベース手段と、上記利用者情報を用いて、上記映像データベース手段から撮影映像データを抽出し、抽出した撮影映像データを使用して映像コンテンツを制作する映像制作手段とを備える。
また、この構成において、上記端末装置は、さらに記録手段を備えるとともに、上記端末装置側制御手段は、特定の撮影装置に対して映像取得指示を送信することに応じて上記利用者情報を生成し、上記記録手段により記録媒体（端末装置の内部メモリや可搬性記録媒体など）に記録させる処理を行う。そして上記映像制作手段は、上記記録媒体から読み出された上記利用者情報を用いて上記映像データベース手段から撮影映像データを抽出する。
又は、上記撮影装置側制御手段は、上記端末装置側制御手段もしくは上記撮影装置側制御手段で生成された利用者情報を、上記映像制作装置に送信する処理を行い、上記映像制作装置は、利用者情報データベース手段をさらに備え、上記送信されてきた利用者情報を上記利用者情報データベース手段に格納し、上記映像制作手段は、上記利用者情報データベース手段から読み出された上記利用者情報を用いて上記映像データベース手段から撮影映像データを抽出する。
又は、上記端末装置側制御手段は、特定の撮影装置に対して映像取得指示を送信することに応じて上記利用者情報を生成し、上記端末装置側通信手段により上記映像制作装置に送信させる処理を行い、上記映像制作装置は、利用者情報データベース手段をさらに備え、上記送信されてきた利用者情報を上記利用者情報データベース手段に格納し、上記映像制作手段は、上記利用者情報データベース手段から読み出された上記利用者情報を用いて上記映像データベース手段から撮影映像データを抽出する。
【０００８】
本発明の撮影方法は、端末装置と撮影装置から成る撮影システムにおける撮影方法である。そして上記端末装置において、上記撮影装置に付与された識別情報が入力されることに応じて、上記識別情報に基づいて特定の撮影装置に対して映像取得指示を送信する指示送信ステップと、上記撮影装置において、上記端末装置からの撮影指示が受信されることに応じて、カメラ手段による撮影映像データの取得処理を行い、取得した撮影映像データを送信出力する映像取得ステップとを備える。
また上記撮影システムは、上記撮影装置との間でネットワーク接続された映像制作装置をさらに備え、上記映像取得ステップでは、上記撮影装置は、上記取得した撮影映像データを上記映像制作装置に対して送信出力する。そしてさらに、上記端末装置もしくは上記撮影装置において、少なくとも上記識別情報と時刻情報を含む利用者情報を生成する利用者情報生成ステップと、上記映像制作装置において、上記撮影装置から送信されてきた撮影映像データを時刻情報とともに映像データベース手段に格納する映像格納ステップと、上記映像制作装置において、上記利用者情報を用いて、上記映像データベース手段から撮影映像データを抽出し、抽出した撮影映像データを使用して映像コンテンツを制作する映像制作ステップとを備える。
【０００９】
本発明の端末装置は、外部の撮影装置に付与された識別情報を入力する入力手段と、通信手段と、上記入力手段で入力された上記識別情報に基づいて、上記通信手段により特定の撮影装置に対して映像取得指示を送信させる制御手段とを備える。
また制御手段は、送信した上記映像取得指示に応じて上記撮影装置で取得及び送信され、上記通信手段で受信された撮影映像データを、表示手段に表示させ、或いは記録手段により記録媒体に記録させる。
また上記制御手段は、特定の撮影装置に対して映像取得指示を送信することに応じて、少なくとも上記識別情報と時刻情報を含む利用者情報を生成し、記録手段により記録媒体に記録させる処理を行う。或いは、上記利用者情報を通信手段により送信させる処理を行う。
【００１０】
本発明の撮影装置は、映像撮影を行うカメラ手段と、通信手段と、外部の端末装置からの撮影指示が上記通信手段により受信されることに応じて、上記カメラ手段による撮影映像データの取得処理を行い、上記取得した撮影映像データを上記通信手段により送信出力させる制御手段とを備える。
上記制御手段は、上記取得処理した撮影映像データを、上記通信手段により、上記撮影指示の送信元の端末装置に送信させる。
或いは上記撮影指示とともに上記端末装置から送信されてきた映像転送先識別情報で示される装置に送信させる。
或いは、ネットワーク接続された映像制作装置に対して送信する。
また、上記制御手段は、上記取得処理に応じて、少なくとも上記識別情報と時刻情報を含む利用者情報を生成し、上記映像制作装置に対して送信する。
【００１１】
本発明の映像制作装置は、ネットワーク接続された撮影装置から送信されてきた撮影映像データを時刻情報とともに格納する映像データベース手段と、少なくとも撮影装置の識別情報と撮影の時刻情報とを含む利用者情報を用いて、上記映像データベース手段から撮影映像データを抽出し、抽出した撮影映像データを使用して映像コンテンツを制作する映像制作手段とを備える。
また、提供された記録媒体（例えば端末装置の内部メモリや可搬性記録媒体）から上記利用者情報を読み出す読出手段をさらに備え、上記映像制作手段は、上記読出手段によって読み出された上記利用者情報を用いて上記映像データベース手段から撮影映像データを抽出する。
又は送信されてきた利用者情報を格納する利用者情報データベース手段をさらに備え、上記映像制作手段は、上記利用者情報データベース手段から読み出された上記利用者情報を用いて上記映像データベース手段から撮影映像データを抽出する。
【００１２】
以上のような本発明の場合、端末装置を所持する利用者は、特定の撮影装置の識別情報を入力することで、その撮影装置による撮影を実行させることができる。即ち識別情報の入力に応じて端末装置は、特定の撮影装置に撮影指示を送信し、撮影装置は、当該撮影指示に応じて撮影を行う。撮影装置が、ユーザーが立ち入ることのできない場所に設置されているなら、ユーザーは、自分が立ち入ることのできない位置からの撮影を、撮影装置によって実行させることができるものとなる。そして端末装置側に撮影映像を転送させることで、ユーザは撮影映像を得ることができる。
さらには本発明では、ユーザーが撮影装置の識別情報を入力して指示した撮影による撮影映像を用いて、映像制作装置が映像コンテンツを制作し、ユーザーに提供できるシステムが構築される。
【００１３】
【発明の実施の形態】
以下、本発明の実施の形態を、次の順序で説明する。
１．端末装置と撮影装置による撮影システム
１−１  基本構成
１−２  端末装置と撮影装置の構成及び動作
２．端末装置と撮影装置と映像制作装置による撮影システム
２−１  概要及び端末装置と撮影装置の構成
２−２  第１のシステム例
２−３  第２のシステム例
２−４  第３のシステム例
３．各種変形例
【００１４】
１．端末装置と撮影装置による撮影システム
１−１  基本構成
まず本発明の実施の形態として、一般ユーザーが所持する端末装置（以下、ユーザー端末という）と撮影装置による撮影システムを説明する。図１に基本的な構成を示す。
このシステムは、基本的にユーザー端末２と撮影装置３で構成される。本システムにおいて、ユーザー端末２、撮影装置３（さらには他の機器）は、識別コードにより機器を特定した通信が可能とされる。
識別コードとは、電話番号、ＵＲＬ、ＩＰアドレス、ＧＰＳ位置情報、バーコード、個別の機器に付与されたＩＤ、コード、アドレス、プログラムなど、或いはこれらの組み合わせなどである。以下では、これらを総称して「識別コード」と呼ぶ。
【００１５】
ユーザー端末２は、ユーザーが所持する端末装置であり、少なくとも識別コードにより特定の機器に発信・通信が可能な機能を有している。
具体的には、携帯電話、ＰＤＡ、携帯型或いはデスクトップ型等の各種パーソナルコンピュータなど、少なくとも無線又は有線での上記の通信機能を備えたあらゆる情報処理装置（通信装置）を本例でいうユーザー端末２として適用できる。
【００１６】
一方、本システムにおいて撮影装置３は、このようなユーザー端末とデータ通信を行う。即ち撮影装置３側も通信機能を備える。
ユーザー端末２と撮影装置３の間での、電話番号等の識別コードにより発信・通信を行う通信機能としては、携帯電話機能、ＰＨＳ機能、ＬＡＮ接続機能、無線ＬＡＮ接続機能によるＩＰ電話接続機能、ネットワーク経由によりＷＷＷ接続やＦＴＰ通信などのインターネット接続機能、衛星通信機能、近距離無線通信機能、光通信機能、赤外線通信機能など、多様のものが想定される。
【００１７】
撮影装置３としては、図示するようにカメラ部６０と、制御・通信部６１を備えた構成とされる。即ちこの場合、制御・通信部６１は、カメラ部６０における撮影動作を制御すると共に、上記の通信機能により、ユーザー端末２との間のデータ通信処理を行うものとされる。
なお、撮影装置３は、カメラ部６０と制御・通信部６１が別体構成とされるものでなくとも、撮影機能、制御機能、通信機能を備えた一体の装置とされてもよい。例えば図示するようにカメラ部６０を有する携帯電話器のような構成とされてもよい。
即ち本システムにおける撮影装置３は、動画又は静止画としての映像信号の撮影機能（及びその制御機能）を備えると共に、ユーザー端末２との通信機能を備えれば、どのような形態でも良い。
【００１８】
本システムの基本的な動作としては、ユーザー端末２は、上記識別コードにより、撮影装置３に対して発信する。そしてその際、ユーザー端末２から撮影装置３に対して撮影命令のコマンドデータが送信されることになる。撮影装置３は、撮影命令に応じて撮影を行う。そして撮影した映像データ（撮影データ）を例えばユーザ端末２に送信する。これによりユーザーは、例えばユーザー端末２の表示部により撮影した映像を見ることができる。
【００１９】
例えばユーザー端末２を携帯電話とし、撮影装置３が携帯電話機能を有しており識別コードとして或る電話番号が付された装置であるとする。
この場合において、ユーザーが、撮影装置３による撮影映像信号を欲したとすると、ユーザー端末２、つまりユーザーが所持する携帯電話により、撮影装置３の電話番号に電話をかける（ユーザーは電話番号を入力し、発信操作を行う）。
するとユーザー端末２（携帯電話）は、入力された電話番号に発信する。つまり当該電話番号が識別コードとして付与されている或る特定の撮影装置３に対して発信する。このときユーザー端末２は、撮影命令を撮影装置３に対して送信することになる。なお、通常の携帯電話システムの機能により、同時にユーザー端末２の識別コードである電話番号も送信される。
撮影装置３の制御・通信部６１は、このような撮影命令を受信したら、それに応じてカメラ部６０を制御し、撮影を実行させる。そして、撮影データを、ユーザー端末２に返信する。即ちユーザー端末２の電話番号に対して発信し、撮影データを送信する。
ユーザー端末２では、返信されてきた撮影データを、そのユーザー端末２の表示部で表示させたり、内部の記録媒体に記録する。これによってユーザーは、例えばカメラを所持していなくても、撮影装置３によって所望の撮影を実行させ、その撮影データによる映像を見たり、取得できることになる。
【００２０】
また撮影装置３からの撮影データの送信は、撮影命令を発信したユーザー端末２以外でも良い。例えばユーザは、希望する配信先の識別コードを入力する。例えばユーザーが、図１に示す自宅のパーソナルコンピュータ等の機器６に配信を希望する場合、その機器のＩＰアドレスや電話番号やメールアドレス等を配信先の識別コードとする。その場合ユーザー端末２は、撮影命令とともに配信先の識別コードを送信する。
撮影装置３では、撮影データを、配信先の識別コードに基づいて送信する。即ち図１の場合、撮影装置３は、カメラ部６０で撮影した撮影データを、破線で示すように、機器６に対して送信する。機器６では、撮影データを保存したり表示する。
この場合、機器６としては、何らかの識別コード（電話番号、ＩＰアドレス、メールアドレスその他）によってデータ送信を受けることのできる機器であればよい。例えばパーソナルコンピュータ、ホームサーバ、テレビジョン、ビデオ機器、その他各種の形態が考えられる。もちろん当該ユーザーの友人の携帯電話等の端末装置を転送先の機器６とすることなども考えられる。
【００２１】
このような撮影システムの利用例を図２に示す。
例えば水族館などにおいて、撮影装置３のカメラ部６０が水槽Ｗの中に設置されているとする。
そして観客であるユーザーは、水槽Ｗの前などに配された識別コード表示Ｄｉｐを見ることで、当該カメラ部６０（撮影装置３）についての識別コードを知ることができる。
この場合、ユーザーが水槽Ｗの前に立つことで、水槽内から見たユーザーの映像が撮影できるようにされているものとする。ユーザーがこのような静止画又は動画を欲する場合は、所持するユーザー端末２により、カメラ部６０の識別コードを入力し、発信する操作を行えばよい。すると、カメラ部６０で撮影が行われ、制御・通信部６１により撮影データがユーザー端末２（又は指定した配信先）に送信される。
つまり、ユーザーにとっては自分では立ち入ることのできない水槽内から、魚越しに自分を見たような映像を得ることができる。
【００２２】
１−２  端末装置と撮影装置の構成及び動作
上記のシステム動作を実現するための端末装置（ユーザー端末２）と撮影装置３の構成及び動作を説明する。
ユーザー端末２の構成例を図３（ａ）に示す。例えばユーザー端末２は、制御部４１、通信部４２、メモリ部４３、メディアドライブ４４、表示部４５，操作部４６を備える。
【００２３】
制御部４１は、例えばマイクロコンピュータ（ＣＰＵ）により形成され、動作プログラムに応じて各部を制御する。
通信部４２は、上述した各種の通信機能のいずれかによる通信動作を行う。
メモリ部４３は、例えばプログラムを格納するＲＯＭ、制御部４１のワーク領域としてのＲＡＭ、各種係数や制御データ、さらには各種識別コード（電話番号等）を記憶するフラッシュメモリなどをまとめて示している。
メディアドライブ４４は、例えばフラッシュメモリ等を内蔵したメモリカード、或いは光ディスクなどの可搬性の記録媒体９０に対して記録／再生を行う。
表示部４５は、制御部４１の制御に基づいて、各種表示を行う。例えば操作情報、操作メニュー、電話番号等の識別コード、映像（静止画・動画）等の各種表示が可能とされる。
操作部４６は、ユーザーが各種操作入力を行うキー、ダイヤル等である。操作部４６による操作に応じて制御部４１は必要な動作制御を行う。
【００２４】
撮影装置３の構成例は図３（ｂ）のようになる。撮影装置３は上述のようにカメラ部６０と制御・通信部６１が別体又は一体の構成とされる。そして制御・通信部６１には、通信部６２、制御部６３、メモリ部６４、メディアドライブ６５、課金処理部６８を備える。
【００２５】
カメラ部６０は、例えばレンズ系、レンズ駆動系、ＣＣＤ撮像素子、ＣＣＤ撮像素子で得られた信号に対する信号処理回路、及びこれらの制御回路などを有し、制御・通信部６１からの指示に応じて撮影動作を行う。即ち撮影データを出力する。
制御・通信部６１において、通信部４２は、上述した各種の通信機能のいずれかによる通信動作を行い、ユーザー端末２や機器６等との間でデータ通信を行う。
制御部６２は、例えばマイクロコンピュータ（ＣＰＵ）により形成され、動作プログラムに応じて各部を制御する。
メモリ部６４は、例えばプログラムを格納するＲＯＭ、制御部４１のワーク領域としてのＲＡＭ、各種係数や制御データ、さらには各種識別コード等を記憶するフラッシュメモリなどをまとめて示している。
メディアドライブ６５は、例えばＨＤＤ（ハードディスクドライブ）９１或いはフラッシュメモリ等を内蔵したメモリカード、或いは光ディスクなどの記録媒体に対して記録／再生を行う。
課金管理部６８は、利用者に撮影サービスを提供した場合の課金処理を行う。例えば銀行引き落としやクレジットカード決済、或いは振り込み請求通知などの処理のためのデータ蓄積／管理や、データ通信を行う。
【００２６】
このような構成のユーザー端末２と撮影装置３の動作を図４で説明する。
例えば図２のような状況下において、ユーザーが或る撮影装置３による撮影を実行させたい場合、自分が所持するユーザー端末２において、操作部４６によりその撮影装置３の識別コードを入力する。
ユーザー端末２の制御部４１は、図４のステップＦ１１として識別コード入力を検知すると、ステップＦ１２で、撮影命令としてのコマンドデータを生成し、識別コードに基づいて撮影装置３に対して発信処理を行う。即ち通信部４２を制御して、識別コード宛の送信を実行させるとともに、撮影命令のデータを送信する。なお、このとき送信データにはユーザー端末２の識別コードも含まれているとする。
【００２７】
撮影装置３側では、通信部６２によって撮影命令が受信されると、制御部６３はステップＦ２１としてカメラ部６０による撮影を実行させる。カメラ部６０は制御部６３からの指示に従って撮影を行い、撮影データを出力する。撮影データは、メディアドライブ４４におけるＨＤＤ９１に格納されても良いし、或いはメモリ部６４に一時的に格納されてもよい。
続いて制御部６３は、ステップＦ２２で、取り込まれた撮影データを含む転送データを生成する。そしてステップＦ２３で、その転送データを通信部６２によってユーザー端末２に送信させる。つまりユーザー端末２の識別コードに基づいて発信を行う。
【００２８】
ユーザー端末２では、撮影装置３から送信されてきた撮影データを受信したら、ステップＦ１３として、制御部４１は、当該撮影データをメモリ部４３に取り込み込、また表示部４５に表示データとして供給して表示させる。または、撮影データをメディアドライブ４４において記録媒体９０に記録させる。
これによりユーザーは、撮影装置３により撮影させた撮影データを取得することができる。
本システムを有料のシステムとする場合、撮影装置３では、ユーザー端末２に対して撮影データを転送することに応じて、ステップＦ２４で、課金処理部６８がユーザーに対する課金処理を行う。例えば課金処理部６８は、ユーザー端末２の識別コードと共に金額、日時等を含む課金データを生成し、後の請求処理のためのデータとしてＨＤＤ９１等に保存する。
【００２９】
なお、上述したように、ステップＦ２３での撮影装置３からの撮影データの送信は、ユーザー端末２以外の機器６に対して行われることもある。もちろんユーザー端末２と、他の機器６の両方に送信することも考えられる。
他の機器６に送信させたい場合は、ユーザーは、ステップＦ１１での撮影装置３の識別コード入力の際に、転送先の機器６の識別コードの入力も行うようにし、制御部４１はステップＦ１２での送信の際に、転送先の機器６の識別コードも送信する。
そして撮影装置３の制御部６３は、ステップＦ２３の送信の際に、上記転送先の機器６の識別コードに基づく送信を、通信部６２に実行させることになる。
【００３０】
以上の構成及び動作からわかるように、ユーザーは、ユーザー端末２から、識別コードにより特定の撮影装置３を指定して撮影命令を発することで、撮影装置３による撮影データを取得することができる。
そして、上記構成からわかるように、ユーザー端末２は、例えば通常の携帯電話、ＰＤＡ、パーソナルコンピュータ、その他各種の機器を用いることができる。例えばそれらの機器において図４の動作を実行するプログラム（アプリケーションソフトウエア）がインストールされることなどで、本例のユーザー端末２として機能させることができる。
【００３１】
これによってユーザーは、自分が所有しない撮影装置３（もちろん自分が所有する撮影装置３でもよいが）を利用して多様な場所、アングルでの撮影が可能となる。
例えば上記図２の水槽内や、動物園やテーマパーク等において一般ユーザーが立ち入ることのできない位置や場所に撮影装置３が設置されることで、ユーザは通常撮ることのできない映像を得ることができる。施設の種類やその設置場所の工夫によっては、ユーザーにとって、より面白みのある多様な映像を提供できることにもなる。
【００３２】
また事業者側にとっては、このような撮影装置３を水族館等の施設内に設置しておくことで、ユーザーに対して新たなサービスを提供できることになる。
特にユーザはカメラを所持している必要はなく、単に携帯電話やＰＤＡなど、通常所持している機器を用いればよいため、気軽にサービスを利用できる。
さらに、撮影データはユーザー端末２或いは指定した機器６に配信されるため、従来のテーマパーク等の写真撮影サービスなどのように現像待ちなどの時間もなくなる。
【００３３】
また、撮影装置３は、ユーザーのいる場所や施設内だけでなく遠く離れた位置に設置されるものでも良い。
例えば観光地、海上、山頂、ビルの屋上などに撮影装置３を設置する。ユーザーには設置場所とその撮影装置３の識別コードを提供する。例えば雑誌、新聞、インターネットウエブサイトなどにより、撮影装置３の設置位置と識別コードを告知する。それらの設置場所からの映像を見たいユーザーは、ユーザー端末２に識別コードを入力して撮影命令を送信すればよい。すると、ユーザーは、その撮影装置３によって撮影された映像を得ることができる。このような新規な映像配信サービスも、本システムによって実現可能となる。又この場合、ユーザー端末２としてはユーザーが自宅等に設置したパーソナルコンピュータその他の機器（携帯されない機器）であっても好適である。
【００３４】
さらには、撮影装置３をユーザーが自宅内に設置すれば、任意の時点で自宅内の映像をユーザー端末２で確認できる。つまり自宅監視用システムなどとしても好適である。
さらに、友人の持つ例えばカメラ付き携帯電話を、本例の撮影装置３として利用した撮影も可能となるなど、具体的なシステム形態としては、非常に多様な例が考えられる。
【００３５】
２．端末装置と撮影装置と映像制作装置による撮影システム
２−１  概要及び端末装置と撮影装置の構成
次に、ユーザー端末２と撮影装置３に加え、映像制作装置１を有して成る撮影システムについて説明する。
この撮影システムとしては、第１〜第３のシステム例を述べるが、まず各例に共通するシステムの基本構成を概略的に述べる。
【００３６】
当該撮影システムでは、テーマパークその他の施設において、撮影サービスを利用をする利用者は、ユーザー端末２を所持するようにする。上述のように携帯電話、ＰＤＡ、携帯型パーソナルコンピュータ等をユーザー端末２とする。
図５はテーマパーク等の施設を模式的に示しており、ユーザーはユーザー端末２を所持しながら施設のアトラクションを楽しむ等の行動を行う。
【００３７】
また、施設内には各場所に撮影装置３（３α、３β、３γ・・・）が配置される。撮影装置３には、それぞれ電話番号或いは機器ＩＤ等の識別コードが付与されており、ユーザー端末２が識別コードによって特定の撮影装置３に通信可能であることは、上述したシステムと同様である。もちろんデータ通信網／回線等も各種考えられる。またユーザー端末２も、それぞれ識別コードが付されている。
そして撮影装置３は、ユーザー端末２からの撮影命令に応じて撮影を行う。つまりユーザーは、施設内において、所望の撮影装置３の識別コードを入力することで、その撮影装置３による撮影を指示できることになる。
【００３８】
本システムの場合、各撮影装置３は、映像制作装置１とネットワーク６によってデータ転送可能に接続されている。撮影装置３は、ユーザー端末２からの撮影命令に応じて撮影した映像（撮影データ）をネットワーク６によって映像制作装置１に送信するようにされる。映像制作装置１では、各撮影装置３から送信されてきた撮影データを後述する映像データベースに格納する。このとき、各撮影データは、時刻データとともに格納される。時刻データは、撮影装置３が動画撮影を行う場合は、タイムコードのような形式で撮影データに付加しても良いし、静止画撮影を行う場合は、静止画データファイルに時刻データを付加しても良い。又、常にリアルタイムで撮影装置３から映像制作装置１に撮影データが転送されるのであれば、映像制作装置１側で時刻データを付加するようにしても良い。
【００３９】
一方、ユーザー端末２からの撮影命令の送信、及び撮影装置３による撮影の際には、ユーザー端末２或いは撮影装置３において利用者情報（以下の説明では顧客データともいう）が生成される。利用者情報とは、撮影時刻を示す時刻データと、その撮影装置３の識別コードを含むものとされる。
この利用者情報は、後に映像制作装置１に提供され、映像制作装置１での映像コンテンツの作成のために用いられる。
【００４０】
利用者は、施設内で任意にユーザー端末２により撮影装置３での撮影を指示する。それに応じて利用者情報が蓄積されていく。例えばユーザー端末２内の記録媒体に顧客データとして利用者情報が記録されていく。
或いは、顧客データとしての利用者情報が、撮影装置３からネットワーク６の通信によって映像制作装置１に転送される。
さらには、顧客データとしての利用者情報が、ユーザー端末２が、公衆回線等のネットワークを通じて、これら映像制作装置１のデータベースに転送するようにする場合もある。
【００４１】
ユーザーは、施設を退場するときなどに、撮影サービスを提供する事業者に対して、サービスを申し込む。
すると映像制作装置１では、そのユーザーの顧客データ（時刻データと撮影装置３の識別コード）を用いて、そのユーザーの指示によって撮影装置３で撮影された映像を抽出し、映像コンテンツ（パッケージ映像）を作成する。
例えば図５のようにユーザーが、時刻Ａにおいて撮影装置３αに撮影させ、時刻Ｂにおいて撮影装置３βに撮影させ、時刻Ｃにおいて撮影装置３γに撮影させた後にサービスを申し込んだ場合、時刻Ａに撮影装置３αが撮影した撮影データ、時刻Ｂに撮影装置３βが撮影した撮影データ、時刻Ｃに撮影装置３γが撮影した撮影データを含むパッケージ映像が制作される。
こうして制作された利用者個別のパッケージ映像は、写真やＣＤやＤＶＤなどの記録媒体に記録し消費者に販売したり、携帯電話やパソコンやテレビやホームサーバなどの利用者の送受信装置に配信して販売する。
【００４２】
これにより、利用者は、簡単かつ、一括に自分が撮影されている映像や写真について、記録媒体や映像配信サービスを受けることができる。
また、本システムによれば、利用者は一括して自分が所望した映像や写真を退場時等に購入できるので、各アトラクション毎などでの写真現像や映像編集のための待ち時間や、購入のための支払い時間や作業量を大幅に減らすことが可能で、結果的に、消費者の施設入場から退場までにおいて無駄な時間を解消できる。
また、事業者は、各アトラクション毎などに写真現像や映像編集、販売のための施設、装置や人員を配置する必要が無く、設備費用や人件費の削減が可能となる。
【００４３】
本システムにおけるユーザー端末２と撮影装置３の構成例を図６（ａ）（ｂ）に示す。
ユーザー端末２は、図６（ａ）に示ように、例えば制御部４１、通信部４２、メモリ部４３、メディアドライブ４４、表示部４５，操作部４６、時計部４７、外部インターフェース４８を備える。
【００４４】
制御部４１は、例えばマイクロコンピュータ（ＣＰＵ）により形成され、動作プログラムに応じて各部を制御する。
通信部４２は、所定の通信機能（「１．端末装置と撮影装置による撮影システム」で述べた各種の通信機能のいずれか）による通信動作を行う。
メモリ部４３は、例えばプログラムを格納するＲＯＭ、制御部４１のワーク領域としてのＲＡＭ、各種係数や制御データ、さらには各種識別コード（電話番号等）を記憶するフラッシュメモリなどをまとめて示している。
メディアドライブ４４は、例えばフラッシュメモリ等を内蔵したメモリカード、或いは光ディスクなどの可搬性の記録媒体９０に対して記録／再生を行う。
上記した利用者情報（顧客データ）は、メモリ部４３に記憶することができる。或いは、メディアドライブ４４によって記録媒体９０に記憶することができる。
表示部４５は、制御部４１の制御に基づいて、各種表示を行う。例えば操作情報、操作メニュー、電話番号等の識別コード、映像（静止画・動画）等の各種表示が可能とされる。
操作部４６は、ユーザーが各種操作入力を行うキー、ダイヤル等である。操作部４６による操作に応じて制御部４１は必要な動作制御を行う。
時計部４７は、時刻計数を行い、制御部４１に対して現在日時の情報を供給する。
外部インターフェース４８は、例えばＵＳＢ、ＩＥＥＥ１３９４、近距離無線通信、その他、外部機器と有線又は無線でデータ通信を行う。
【００４５】
撮影装置３は図６（ｂ）のように、カメラ部６０、通信部６２、制御部６３、メモリ部６４、メディアドライブ６５、ネットワークインターフェース６６、時計部６７を備える。
【００４６】
カメラ部６０は、例えばレンズ系、レンズ駆動系、ＣＣＤ撮像素子、ＣＣＤ撮像素子で得られた信号に対する信号処理回路、及びこれらの制御回路などを有し、制御部６３からの指示に応じて撮影動作を行う。即ち撮影データを出力する。
通信部４２は、少なくともユーザー端末２との間での通信可能な通信機能を実行する部位である。
制御部６２は、例えばマイクロコンピュータ（ＣＰＵ）により形成され、動作プログラムに応じて各部を制御する。
メモリ部６４は、例えばプログラムを格納するＲＯＭ、制御部４１のワーク領域としてのＲＡＭ、各種係数や制御データ、さらには各種識別コード等を記憶するフラッシュメモリなどをまとめて示している。
メディアドライブ６５は、例えばＨＤＤ（ハードディスクドライブ）９１或いはフラッシュメモリ等を内蔵したメモリカード、或いは光ディスクなどの記録媒体に対して記録／再生を行う。
ネットワークインターフェース６６は、ネットワーク６を介して映像制作装置１との間でデータ通信を行う。即ち制御部６３は、カメラ部６０で撮影した撮影データや、その他の情報をネットワークインターフェース６６から映像制作装置１に送信できる。
時計部６７は、時刻計数を行い、制御部６３に対して現在日時の情報を供給する。
【００４７】
２−２  第１のシステム例
ユーザー端末２、撮影装置３、映像制作装置１から成る撮影システムとして第１のシステム例を説明する。
ユーザー端末２、撮影装置３は、上記図６の構成となるが、必ずしも図６に示した構成要素の全てを備えている必要はない（この点については後述する）。
この第１のシステム例は、ユーザー端末２から撮影装置３に撮影指示をした際に、ユーザー端末２側で撮影指示した撮影装置３の識別コードと時刻を顧客データ（利用者情報）として記憶する。そして後に、ユーザー端末２から映像制作装置１に顧客データを提供し、映像制作装置１では、顧客データに基づいて、その利用者に対する映像コンテンツの作成を行うものである。
【００４８】
図７には、第１のシステム例における映像制作装置１の構成を示した。
映像制作装置１において、リーダ装置１１は、利用者が提示したユーザー端末２から、記録された顧客データ（顧客ＩＤ、時刻データ、撮影装置３の識別コード）を読み出す装置である。
例えばユーザー端末２においてメモリ部４３に顧客データを記憶する場合、リーダ装置１１は、ユーザー端末２の外部インターフェース４８との間でデータ通信可能な部位とされればよい。またユーザー端末２において可搬性の記録媒体９０に顧客データを記憶する場合、リーダ装置１１は、記録媒体９０に対して再生可能な再生装置とされればよい。
【００４９】
なお、顧客ＩＤとは、ユーザー或いはユーザー端末２を識別できる識別子である。この顧客ＩＤとしてのデータは、ユーザー端末２においてメモリ部４３又は記録媒体９０に記憶されていればよい。そして顧客ＩＤとしては、ユーザー端末２の識別コード（電話番号等）を用いても良いし、ユーザーに付与したＩＤコードでも良い。本システムにおいて顧客ＩＤは、少なくとも、映像サービスを受けようとする多数のユーザーの中で、ユーザーを特定できるものであれば足り、従って、施設入場時などに事業者がユーザーに与えた番号などであってもよい。
例えば事業者が顧客ＩＤを記憶させたメモリカード等を記録媒体９０としてユーザーに配布し、その記録媒体９０に時刻データ及び撮影装置３の識別コードが記憶されるようにしてもよい。
【００５０】
顧客データ処理部１２は、リーダ装置１１によって利用者メディア２から読み出された顧客データ、即ち顧客ＩＤ、時刻データ、識別コードについて処理する。例えばデータ訂正、データ形式照合、データ整理などを行い、後述する映像抽出データベース作成のために必要なデータ群とする。そしてそのデータ群を映像抽出／編集管理部１３に転送する。
【００５１】
映像抽出・編集管理部１３は、映像抽出データベースの作成、映像抽出の指示、抽出された映像データの編集及びそれよるパッケージ映像の制作を行う。
映像抽出データベースとは、利用者個別の映像を抽出するためのデータベースである。この映像抽出データベースの作成には、上記データ群として顧客データ処理部１２から転送されてきた顧客データにおける時刻データと識別コードを用いる。
なお、映像抽出データベースは上記顧客データ処理部１２で作成し、映像抽出・編集管理部１３は、その映像抽出データベースを受け取るようにしても良い。
また映像抽出・編集管理部１３は、作成した（又は転送されてきた）映像抽出データベースに基づいて、必要な映像データを抽出して転送するよう撮影管理部１４に指示を出す。
また映像抽出・編集管理部１３は、抽出され転送されてきた映像データについて、編集を行い、利用者個人を対象とするパッケージ映像の制作処理も行う。
【００５２】
撮影管理部１４は、映像データベースの管理を行う。各撮影装置３（３α、３β、３γ・・・）によって撮影された映像データは、ネットワーク６を介して転送されてくるが、その映像データは映像データベース１５に格納され、蓄積される。例えば各撮影装置３毎に、かつそれぞれの撮影映像データが時刻データに同期した状態で、格納される。
撮影管理部１４は、映像抽出・編集管理部１３からの指示に応じて、映像データベース１５から映像データを抽出し、抽出した映像データを映像抽出・編集管理部１３に転送する処理も行う。
【００５３】
映像記録管理部１６は、映像抽出・編集管理部１３によるパッケージ映像の編集結果に応じて、映像記録装置１７により映像記録を実行させる。
映像記録装置１７とは、写真装置や、例えばディスクレコーダ、磁気テープレコーダ、メモリカードドライブなど、動画又は静止画としての映像データ記録装置などとして構成される。
そして、映像記録管理部１６は、映像抽出・編集管理部１３によるパッケージ映像を、写真又は映像データとして映像記録装置１７によって記録媒体に記録させる。例えば静止画データを紙にプリントさせたり、動画映像データ、静止画映像データをＣＤ−Ｒ、ＤＶＤ−Ｒ、メモリカード（半導体記録媒体）などに記録させる。
【００５４】
配信管理部１８は、映像抽出・編集管理部１３により作成されたパッケージ映像の配信処理を行う。
配信装置１９は、例えば公衆電話回線、光ファイバネットワーク、衛星通信回線など、所要のネットワークに接続されており、外部の端末装置に映像データを配信できる装置である。
配信管理部１８は、制作されたパッケージ映像のデータを、配信装置１９から例えば利用者の個人端末に対して配信させる。例えば携帯電話やパーソナルコンピュータ、端末機能付きのテレビジョン、ホームサーバなどの利用者の送受信装置に配信する。
【００５５】
課金管理部２０は、利用者に記録媒体や映像配信によって映像サービスを提供した場合の課金処理を行う。例えば銀行引き落としやクレジットカード決済、或いは振り込み請求通知などの処理のためのデータ蓄積／管理や、データ通信を行う。
【００５６】
なお図２に示した、顧客データ処理部１２、映像抽出・編集管理部１３、撮影管理部１４，映像データベース１５，映像記録管理部１６、配信管理部１８、課金管理部２０は、それぞれ独立したコンピュータ装置として構成され、ネットワーク６を介して並列接続されて相互通信される構成でも良いが、直列接続されるような通信構成でもよい。例えばこれら各部としてのコンピュータ装置がＬＡＮ接続され、さらにそのＬＡＮが、或るコンピュータを起点にネットワーク６によるＬＡＮに接続されるような構成でも良い。
また、顧客データ処理部１２、映像抽出・編集管理部１３、撮影管理部１４，映像記録管理部１６、配信管理部１８、課金管理部２０は、それぞれが独立したものではなく、これら全て、或いは一部が同一のコンピュータ装置上で実現されることも当然に想定される。
【００５７】
以上のような本システムによる動作を説明する。
今、上記図５の破線で示したようにユーザー端末２を所持したユーザーが行動したとする。
例えばユーザーは、まず時刻Ａに、位置Ｐ１において撮影装置３αに対して撮影を指示する。このときの各装置の処理を図８に示す。
【００５８】
ユーザーは、ユーザー端末２の操作部４６を用いて撮影装置３αの識別コードを入力して発信操作を行う。
ユーザー端末２の制御部４１は、図８のステップＦ３１として識別コード入力を検知すると、ステップＦ３２で、撮影命令としてのコマンドデータを生成し、入力された識別コードに基づいて撮影装置３αに対して発信処理を行う。即ち通信部４２を制御して、識別コード宛の送信を実行させるとともに、撮影命令のデータを送信する。
その後、制御部４１は、ステップＦ３３で、発信した識別コード（撮影装置３αの識別コード）と、その際に時計部４７で得られる時刻データ（時刻Ａ）を、顧客データの１つとして、メモリ部４３又は記録媒体９０に記憶させる。
なお、ユーザー端末２と撮影装置３αの通信時に、撮影装置３αの時計部６７で得られる時刻データがユーザー端末２に送信されるようにし、制御部４１は、受信した時刻データを識別コードと対応させて顧客データとして記憶するようにしてもよい。
【００５９】
撮影装置３側では、通信部６２によって撮影命令が受信されると、制御部６３はステップＦ４１としてカメラ部６０による撮影を実行させる。カメラ部６０は制御部６３からの指示に従って撮影を行い、撮影データを出力する。撮影データは、メディアドライブ４４におけるＨＤＤ９１に格納されても良いし、或いはメモリ部６４に一時的に格納されてもよい。
続いて制御部６３は、ステップＦ４２で、カメラ部６０から取り込まれた撮影データよる転送データを生成する。例えば撮影データが静止画の場合、撮影データファイルに時計部６７で得られる撮影時刻データを付加して転送データとする。撮影データが動画の場合、映像データに付加されたタイムコードデータに加えて、時計部６７で得られる撮影開始の時刻データを付加して転送データとする。そしてステップＦ４３で、その転送データをネットワークインターフェース６６によって映像制作装置１に送信させる。
【００６０】
映像制作装置１では、撮影装置３αから送信されてきた撮影データを受信したら、ステップＦ５１として、当該撮影データ（撮影装置３αの撮影データ）を映像データベース１５を時刻データ（時刻Ａ）と共に格納する。
【００６１】
以上の図８の処理が、例えば図５の位置Ｐ１（時刻Ａ）においてユーザーが撮影指示することに応じて行われる。
つまり、ユーザーがユーザー端末２から撮影装置３αに撮影指示を行うことに応じて、ユーザー端末２側では、その際の顧客データ（撮影装置３αの識別コードと時刻データ）が記憶され、また映像制作装置１では、その際の撮影装置３αによる撮影データと時刻データが映像データベース１５に取り込まれることになる。
【００６２】
続いてユーザーがユーザー端末２を用いて、時刻Ｂに、図５の位置Ｐ２において撮影装置３βに撮影指示し、さらに時刻Ｃに、図５の位置Ｐ３において撮影装置３γに撮影指示したとすると、それぞれの際に図８の動作が行われることになる。
このように利用者が行動したとすると、ユーザー端末２内のメモリ部４３又は記録媒体９０には、図９のように顧客データが記憶されていることになる。
即ち顧客データＤＴ１，ＤＴ２，ＤＴ３として、それぞれ顧客ＩＤに対応して、時刻Ａと撮影装置３αの識別コード（ＩＤα）、時刻Ｂと撮影装置３βの識別コード（ＩＤβ）、時刻Ｃと撮影装置３γの識別コード（ＩＤγ）のデータが記憶されている。
【００６３】
この図９のように顧客データが記録された状態で、利用者が自分の映像を含むパッケージ映像のサービスを受けたいと思った場合は、そのサービス受付窓口においてユーザー端末２を提示することになる。具体的にはユーザー端末２を外部インターフェース４８によりリーダ装置１１に接続させるか、或いは記録媒体９０を提出してリーダ装置１１により再生させる。
サービス受付窓口（映像制作装置１）では、リーダ装置１１により、提出されたユーザー端末２（又はその記録媒体９０）から顧客データを読み出し、その利用者個人のためのパッケージ映像の制作に移る。
【００６４】
映像制作装置１における映像制作処理手順を図１０に示す。
映像制作装置１は、ステップＦ１０１としてユーザー端末２内の顧客データをリーダ装置１１によって読み出す。
ステップＦ１０２としては、読み出された顧客データについて、顧客データ処理部１２でデータ照合や整理が行われる。
そしてステップＦ１０３で、映像抽出・編集管理部１３により（又は顧客データ処理部１２が行っても良い）、照合／整理の結果に基づいて映像抽出データベースが作成される。
【００６５】
ステップＦ１０２，Ｆ１０３の処理、つまり顧客データを照合／整理して、映像抽出データベースを作成する処理を図１１，図１２で説明する。
まず最初に図１１の手順Ｓ１として、時刻データと撮影装置３の識別コードを含む顧客データＤＴ１〜ＤＴｎ（図９の場合ＤＴ１〜ＤＴ３）を取得したら、次に手順Ｓ２として、顧客データＤＴ１〜ＤＴｎを時刻順に整理する。
図９の例の場合、時刻Ａ→Ｂ→Ｃとなる。
【００６６】
次に手順Ｓ３として、時刻順に並べられた時刻データと対応する識別コードをマッチングさせる。
図９の例の場合、時刻順に対応する識別コードはＩＤα→ＩＤβ→ＩＤγとなる。
次に手順Ｓ４として、並べられた識別コードから、対応する撮影装置データを作成する。
図５のシステム例の場合、識別コードの時刻順はＩＤα→ＩＤβ→ＩＤγであるため、時刻順の撮影装置データは、撮影装置３α→撮影装置３β→撮影装置３γとなる。
最後に手順Ｓ５として、撮影装置データと、先ほど利用した時刻データと最終的に対応させた映像抽出データベースを作成する。
つまり映像抽出データベースは、時刻Ａの撮影装置３αの映像データ、時刻Ｂの撮影装置３βの撮影データ、時刻Ｃの撮影装置３γの撮影データを、リストアップした情報となる。
【００６７】
この手順Ｓ２〜Ｓ５の処理の様子を図１２に模式的に示している。
図１２に示すように、時刻順に並べられた識別コードから、それぞれの時刻での撮影装置を特定する撮影装置データ「３α」「３β」「３γ」が得られ、それによって、各期間で抽出すべき映像データを示す映像抽出データベースが形成される。このように、時刻データ、識別コードから利用者個別の映像データが抽出可能なデータベースが完成する。
【００６８】
図１０のステップＦ１０２，Ｆ１０３として図１１，図１２で説明した処理を行って映像抽出データベースが作成されたら、次に図１０のステップＦ１０４では、映像抽出データベースに基づいた映像データの抽出が行われる。
即ち映像抽出・編集管理部１３は、映像抽出データベースに基づいて必要な映像を抽出するように撮影管理部１４に指示を出す。
具体的には映像抽出・編集管理部１３は、撮影管理部１４に対して、時刻Ａの撮影装置３αの映像データ、時刻Ｂの撮影装置３βの映像データ、時刻Ｃの撮影装置３γの映像データ３を、それぞれ映像データベース１５から読み出すように指示する。
これに応じて撮影管理部１４は、映像データベース１５内に記録されている撮影装置３α、撮影装置３β、撮影装置３γのそれぞれの映像データから、指示された各期間の映像を選択して抽出し、その映像データを映像抽出・編集管理部１３に転送する。
【００６９】
図１３に映像抽出の様子を模式的に示す。
図１３（ａ）に示すように、映像データベース１５には、各撮影装置３α、３β、３γによって撮影された映像データが蓄積されている。
撮影管理部１４は、映像抽出データベースに基づく指示に応じて、撮影装置３αによって時刻Ａに（或いは時刻Ａから所定時間）撮影された映像データα（Ａ）、撮影装置３βによって時刻Ｂ（或いは時刻Ｂから所定時間）に撮影された映像データβ（Ｂ）、撮影装置３γによって時刻Ｃ（或いは時刻Ｃから所定時間）に撮影された映像データγ（Ｃ）をそれぞれ抽出し、抽出した図１３（ｂ）の映像データを映像抽出・編集管理部１３に転送することになる。
【００７０】
次に図１０のステップＦ１０５では、映像抽出・編集管理部１３が、撮影管理部１４から転送された映像データα（Ａ）、β（Ｂ）、γ（Ｃ）を時刻順序に編集しなおしたり、動画の場合は時間長をカットするなどの所定の処理を行う。
さらに、場合によっては、付加映像としてアトラクションの全体映像や、施設やアトラクションの宣伝映像などを、これら映像データα（Ａ）、β（Ｂ）、γ（Ｃ）の前後や途中に挿入する。
これらの編集処理を行って、パッケージ映像を完成させる。図１３（ｃ）には、映像データα（Ａ）、β（Ｂ）、γ（Ｃ）を用い、またその前後に付加映像を追加して完成させたパッケージ映像例を示している。
【００７１】
なお、ここではパッケージ映像として撮影装置３で撮影された映像や付加映像を用いたものとして説明しているが、これらの映像に付随して音声データを含むことができることはいうまでもない。例えば撮影装置３で撮影時に同時に録音された音声や、付加映像に付随して用意された音声を含むことができる。もちろんＢＧＭ（バックグラウンドミュージック）や効果音などとして事業者側が用意した音声データであってもよい。
【００７２】
ステップＦ１０６では、完成されたパッケージ映像を利用者に提供するための処理が行われる。
即ちパッケージ映像としてのデータは、映像記録管理部１６もしくは配信管理部１８に転送される。
【００７３】
映像記録管理部１６は、接続された映像記録装置１７、例えば、ＣＤ−ＲやＤＶＤ−Ｒ用記録装置、半導体メモリ用記録装置などを使って、ＣＤ−Ｒ、ＤＶＤ−Ｒ、半導体メモリなどの記録媒体にパッケージ映像、即ち消費者個別の映像データを記録する。
このようにパッケージ映像を記録した記録媒体を、利用者に渡す（販売する）ことで、パッケージ映像の利用者への提供が実現される。
【００７４】
また、配信管理部１８は、接続された配信装置１９、例えば、符号化装置、暗号化装置などを含む通信装置を使って、公衆回線等の外部ネットワークを介して、利用者の携帯電話やパーソナルコンピュータやホームサーバなどに、パッケージ映像を配信する。これによってもパッケージ映像の利用者への提供が実現される。
【００７５】
ステップＦ１０７では、利用者に対するパッケージ映像の提供の対価を受けるための課金処理が課金管理部２０において行われる。
例えば利用者がクレジットカード決済などを選択した場合、パッケージ映像の配信或いは記録媒体の引き渡しに応じて、その販売情報が課金管理部２０に転送され、利用者個別に対応した課金方法で、本サービスに対する金銭の授受の管理が行われる。例えば販売日時、販売種別（配信／記録媒体）、利用者のクレジットカード番号や銀行口座番号、領収書発行管理データなどが管理される。
【００７６】
以上のような本例のシステムによっては、利用者、事業者双方にとって効率的な映像提供サービスを実現することができる。
【００７７】
施設利用者にとっては、ユーザー端末２を所持し、任意に撮影装置３の識別コードを入力し、撮影装置３に撮影を実行させ、パッケージ映像サービスの提供を受けたいときは、施設退場時などに映像制作装置１側にユーザー端末２内の顧客データを読み込ませるのみでよい。
このため、従来のように施設内の各場所（例えば図５の位置Ｐ１，Ｐ２，Ｐ３など）において映像サービスを受けるための待ち時間は不要で、またサービスを受けるための利用者の作業量もごくわずかである。従って、施設利用者の時間的・作業的な負担やロスは大幅に低減されるという効果がある。これによって例えばテーマパーク等であれば、より多数のアトラクションを楽しむなど、施設自体を有効に利用できるものとなる。
もちろん当該映像サービスを利用することで、利用者自身で写真を撮るなどの手間も不要となる。
【００７８】
そして、このシステムにより、ユーザーは通常自分では撮影できないような場所やアングルでの映像（静止画や動画）を得ることができる。
例えば事業者が撮影装置３を配置した位置として、水族館の中の水中カメラによる撮影の映像データや、動物園の檻の中の撮影装置による撮影の映像データなどの、消費者が自身のカメラを持っていけない状況や場所での映像の提供を可能とする。
このように、ユーザーは通常得ることができない映像データを得ることができるとともに、それを一括して購入できるので、購入のための支払い時間や作業量を大幅に減らすことが可能で、結果的に、消費者の満足度を上げることが可能になる。
【００７９】
また事業者側にとっては、施設内の各場所（Ｐ２，Ｐ３等）で映像サービス提供のための制作・販売施設やスタッフ（例えば写真現像や映像編集のための装置や人員）を配置する必要がなくなり、コスト的な負担や業務作業負担が軽減される。また利用者からのサービス提供要求があった際には、その利用者の各場所での映像をまとめてパッケージ映像として処理し、提供できるため、利用者一人に対する提供業務が効率化され、ひいてはサービス業務全体の効率化が実現される。
【００８０】
さらに、抽出した利用者の行動に応じた映像に、付加映像を加えてパッケージ映像を制作するようにすれば、より高品位な映像作品として利用者に提供できるものとなり、サービス価値が向上する。
特に図１３（ｃ）に示したように、アトラクションの宣伝映像などを付加映像として挿入編集することで、利用者に強い印象を与える効果を得られる。また、利用者は宣伝映像が挿入されることで、本システムのコストを宣伝映像に負担させることが可能になることから、本システムの利用料金の低減の恩恵を受けることができる。
【００８１】
また、ユーザー端末２に記憶する顧客データは、利用者個人に付与される顧客ＩＤや、時刻データと識別コード程度でよく、映像データを記憶する必要はないため、ユーザー端末２内の小容量の記憶媒体で対応できる。
つまり、可搬性の記録媒体９０に対するメディアドライブ４４が無い機器、或いは小容量の記録媒体９０のみに対応する機器などでも、本例のユーザー端末２として利用できる。
また本例のように、ユーザー端末２内に時刻データや識別コードの書込を行うシステムの場合は、これら顧客データをむやみにユーザー端末２から送信することは行われないため、利用者に関するデータ漏洩や不正利用の心配がないという利点もある。
【００８２】
また映像制作装置１による映像制作は、時刻データと撮影装置３の識別コードに基づいて映像が抽出されて行われるため、基本的に利用者が匿名であっても映像サービスを利用可能で、利用者のプライバシー保護にも好適である。
【００８３】
また利用者へのパッケージ映像の提供を配信により行うことで、利用者はその場でパッケージ映像を受け取る必要が無く、従って映像制作のための待ち時間は全く必要なくなる。
一方で、ディスクなどの可搬性メディアによってパッケージ映像を受け取る場合は、利用者は配信先のアドレス等を事業者に伝える必要もないため、完全な匿名性を保ったまま映像サービスを受けることができる。
【００８４】
なお、以上のような第１のシステム例を考える場合、ユーザー端末２においては必ずしも図６（ａ）の全ての構成要素を備えていなくても良い。
まず、ユーザー端末２において、顧客データをメモリ部４３に記憶する場合、メディアドライブ４４及び記録媒体９０は不要である。つまり可搬性記録媒体を装填可能な端末装置でなくてもユーザー端末２として利用できる。
逆に、顧客データを記録媒体９０に記憶する場合、ユーザーは記録媒体９０をサービス窓口に提出すればよく、外部インターフェース４８によりリーダ装置１１と接続するということは不要である。換言すれば、リーダ装置１１と接続不能な端末装置でも、本例のユーザー端末２として利用できる。
また、上述もしたが、顧客データ記憶のための現在時刻データが撮影装置３から送信されるものとすれば、時計部４７の時刻データを用いること不要である。
一方、撮影装置３では、最低限、撮影命令に基づいて撮影を行い、撮影データを映像制作装置１に送信できればよい。このため、撮影データを記憶するＨＤＤ９１、メディアドライブ６５は設けなくても良い。
これらの構成上の事情は、以降説明する第２，第３のシステム例でも同様であり、そのシステム動作に応じて不要とできる部位は各種存在する。
【００８５】
２−３  第２のシステム例
次に第２のシステム例を説明する。なお、上記第１のシステム例と同一部分には同一符号を付し、詳細な説明を省略する。
この第２のシステム例は、ユーザー端末２において時刻データや識別コードの記憶は行わず、これらはネットワーク６を通じて映像制作装置１が管理するようにしたものである。
【００８６】
ユーザー端末２、撮影装置３は、例えば上記図６の構成となる。
映像制作装置１の構成は図１４に示すようになる。図７に示した構成例との違いは、顧客データデータベース２２が設けられること、及び図７の顧客データ処理部１２と同様の処理を行うとともに顧客データデータベース２２の管理を行う顧客データ管理部２１が設けられることである。他の各部は同様である。
顧客データデータベース２２は、ネットワーク６を介して各リーダ装置５から送信されてきた顧客データを格納する。
【００８７】
なお図１４に示した、顧客データ管理部２１、顧客データデータベース２２、映像抽出・編集管理部１３、撮影管理部１４，映像データベース１５，映像記録管理部１６、配信管理部１８、課金管理部２０は、それぞれ独立したコンピュータ装置として構成され、ネットワーク６を介して並列接続されて相互通信される構成でも良いが、直列接続されるような通信構成でもよい。例えばこれら各部としてのコンピュータ装置がＬＡＮ接続され、さらにそのＬＡＮが、或るコンピュータを起点にネットワーク６によるＬＡＮに接続されるような構成でも良い。
また、顧客データ管理部２１、顧客データデータベース２２、映像抽出・編集管理部１３、撮影管理部１４，映像記録管理部１６、配信管理部１８、課金管理部２０は、それぞれが独立したものではなく、これら全て、或いは一部が同一のコンピュータ装置上で実現されることも当然に想定される。
【００８８】
以上のような第２のシステム例による動作を説明する。
例えば上記図５のようにユーザーが位置Ｐ１，Ｐ２，Ｐ３等で撮影装置３α、３β、３γに対して撮影指示を行う際の各装置の動作は図１５のようになる。
【００８９】
例えばユーザーが、時刻Ａに、位置Ｐ１において撮影装置３αに対して撮影を指示する。このときユーザーは、ユーザー端末２の操作部４６を用いて撮影装置３αの識別コードを入力して発信操作を行う。
ユーザー端末２の制御部４１は、図１５のステップＦ３１として識別コード入力を検知すると、ステップＦ３２で、撮影命令としてのコマンドデータを生成し、入力された識別コードに基づいて撮影装置３αに対して発信処理を行う。即ち通信部４２を制御して、識別コード宛の送信を実行させるとともに、撮影命令のデータを送信する。このとき、ユーザー端末２内に記憶されている顧客ＩＤも送信する。上述のように、顧客ＩＤとは、ユーザー端末２の識別コードであっても良いし、今回のサービス利用にあたってユーザーに割り当てられた番号等でも良い。
ユーザー端末２の処理としては、以上であり、つまりユーザーの操作に従って特定の識別コードの撮影装置３に対して撮影命令を送信するのみでよい。
【００９０】
撮影装置３側では、通信部６２によって撮影命令が受信されると、制御部６３はステップＦ４１としてカメラ部６０による撮影を実行させる。カメラ部６０は制御部６３からの指示に従って撮影を行い、撮影データを出力する。撮影データは、メディアドライブ４４におけるＨＤＤ９１に格納されても良いし、或いはメモリ部６４に一時的に格納されてもよい。
続いて制御部６３は、ステップＦ４２で、カメラ部６０から取り込まれた撮影データよる転送データを生成する。例えば撮影データが静止画の場合、撮影データファイルに時計部６７で得られる撮影時刻データを付加して転送データとする。撮影データが動画の場合、映像データに付加されたタイムコードデータに加えて、時計部６７で得られる撮影開始の時刻データを付加して転送データとする。
さらには、ユーザー端末２から送信されてきた顧客ＩＤ及び当該撮影装置３の識別コード、さらには撮影時刻データも、転送データに付加する。つまり、時刻データが付加された撮影データだけでなく、今回の撮影に関する顧客データ、つまり顧客ＩＤ、識別コード、時刻データをも転送データとして生成する。
そしてステップＦ４３で、その転送データをネットワークインターフェース６６によって映像制作装置１に送信させる。
【００９１】
映像制作装置１では、撮影装置３αから送信されてきた撮影データを受信したら、ステップＦ５１として、当該撮影データ（撮影装置３αの撮影データ）を映像データベース１５を時刻データ（時刻Ａ）と共に格納する。
さらに、ステップＦ５２として、撮影装置３αから送信されてきた顧客データを受信したら、その顧客データ（顧客ＩＤ、時刻データ、識別コード）を、顧客データデータベース２２に格納する。顧客データデータベース２２では、顧客ＩＤを基準にして、時刻データ、識別コードを格納する。
【００９２】
以上の図１５の処理が、例えば図５の位置Ｐ１（時刻Ａ）、位置Ｐ２（時刻Ｂ）、位置Ｐ３（時刻Ｃ）のそれぞれにおいて、ユーザーが撮影指示することに応じて行われる。
つまり、ユーザーがユーザー端末２から撮影装置３αに撮影指示を行うことに応じて、その際の撮影装置３αによる撮影データが時刻データとともに映像データベース１５に取り込まれるが、さらにその際の顧客データ（顧客ＩＤ、撮影装置３αの識別コード、時刻データ）が映像制作装置１に送信され、顧客データデータベース２２に記憶されるものとなる。
従って、各ユーザーの撮影装置３の各利用に対応する顧客データが、顧客データデータベース２２に蓄積されていくことになる。
また多数のユーザに対応するため、顧客データデータベース２２では顧客ＩＤを基準にして顧客データを蓄積するものである。
【００９３】
或るユーザーが図５のように行動した後、自分の映像を含むパッケージ映像のサービスを受けたいと思った場合は、そのサービス受付窓口においてユーザー端末２を提示することになる。
サービス受付窓口では、映像制作装置１としてのリーダ装置１１により、提出されたユーザー端末２（又は記録媒体９０）から顧客ＩＤを読み出し、その利用者個人のためのパッケージ映像の制作に移る。
つまり本例の場合、ユーザー端末２としては、顧客ＩＤを記憶しておけばよい。
【００９４】
映像制作装置１における映像制作処理手順を図１６に示す。
映像制作装置は、ステップＦ３０１として提示されたユーザー端末２（又は記録媒体９０）に記録されている顧客ＩＤをリーダ装置１１によって読み出す。
次にステップＦ３０２では、顧客ＩＤに基づいて、その顧客についての顧客データを取得する処理が行われる。
つまり顧客データ管理部２１は、読み出した顧客ＩＤをキーとして顧客データデータベース２２を検索し、その顧客ＩＤと一致する顧客データを全て読み出す。すると読み出された顧客データは、当該ユーザがユーザー端末２を各場所で使用して撮影指示したことによって蓄積された顧客データとなる。
つまり、上記第１のシステム例において図９で説明したような、当該ユーザについての全ての顧客データが取得できる。
【００９５】
続いてステップＦ３０３では、取得した顧客データについて、顧客データ管理部２１でデータ照合や整理が行われる。
そしてステップＦ３０３で、映像抽出・編集管理部１３により（又は顧客データ管理部２１が行っても良い）、照合／整理の結果に基づいて映像抽出データベースが作成される。
このようなステップＦ３０３，Ｆ３０４の映像抽出データベースの作成処理、及び以降のステップＦ３０５〜Ｆ３０８の処理は、図３のステップＦ１０２〜Ｆ１０７の処理と同様であるため、重複説明は避けるが、第１のシステム例の場合と同様にして、映像抽出データベースに基づいた映像抽出、抽出映像データや付加映像を用いた編集によるパッケージ映像の制作、パッケージ映像の記録媒体への記録や配信による利用者への提供、及び課金処理がおこなわれる。
【００９６】
このような第２のシステム例の場合も、上述した第１のシステム例の場合と同様の効果を得ることができる。
第１のシステム例と異なる効果は次の通りである。
まず、第２のシステム例の場合は、ユーザー端末２には最低限顧客ＩＤのみが記憶されておればよく、また各時点での顧客データの記憶は行われない。従ってユーザー端末２としては、非常に少容量の記憶機能を有する機器であってもよい。また、顧客データの書込は行われないため、例えば記録媒体９０として、顧客ＩＤに相当するデータが予め書き込まれた再生専用メディアを利用することもできる。
【００９７】
２−４  第３のシステム例
次に第３のシステム例を説明する。なお、上記第１、第２のシステム例と同一部分には同一符号を付し、詳細な説明を省略する。
この第３のシステム例は、ユーザー端末２において時刻データや識別コードを含む顧客データを生成するが、その顧客データをユーザー端末２から映像制作装置１に送信し、映像制作装置１が管理するようにしたものである。
ユーザー端末２と映像制作装置１の通信は、上述してきたユーザー端末２の通信機能により公衆回線その他を用いても良いし、少なくともサービス対象地区内の通信回線（ネットワーク６）を介して映像制作装置１に送信されるようにしてもよい。
【００９８】
ユーザー端末２、撮影装置３は、例えば上記図６の構成となる。
映像制作装置１の構成は図１７に示すようになる。上記第２のシステム例の図１４の場合と同様に、顧客データデータベース２２が設けられ、また顧客データ管理部２１が設けられる。
そして図１４と異なる点は、ユーザー端末２からのデータ送信に対応する受信部２３が設けられていることである。他の各部は図１４と同様である。
【００９９】
受信部２３は、各利用者が所持するユーザー端末２からの送信データ（顧客ＩＤ、時刻データ、識別コード）を受信すると、受信信号を顧客データ管理部２１に転送する。顧客データ管理部２１は、このように受信されたデータをデコードして、顧客データデータベース２２に格納する。
【０１００】
このような第３のシステム例による動作を説明する。
例えば上記図５のようにユーザーが位置Ｐ１，Ｐ２，Ｐ３等で撮影装置３α、３β、３γに対して撮影指示を行う際の各装置の動作は図１８のようになる。
【０１０１】
例えばユーザーが、時刻Ａに、位置Ｐ１において撮影装置３αに対して撮影を指示する。このときユーザーは、ユーザー端末２の操作部４６を用いて撮影装置３αの識別コードを入力して発信操作を行う。
ユーザー端末２の制御部４１は、図１８のステップＦ３１として識別コード入力を検知すると、ステップＦ３２で、撮影命令としてのコマンドデータを生成し、入力された識別コードに基づいて撮影装置３αに対して発信処理を行う。即ち通信部４２を制御して、識別コード宛の送信を実行させるとともに、撮影命令のデータを送信する。
【０１０２】
撮影装置３側では、通信部６２によって撮影命令が受信されると、制御部６３はステップＦ４１としてカメラ部６０による撮影を実行させる。カメラ部６０は制御部６３からの指示に従って撮影を行い、撮影データを出力する。撮影データは、メディアドライブ４４におけるＨＤＤ９１に格納されても良いし、或いはメモリ部６４に一時的に格納されてもよい。
続いて制御部６３は、ステップＦ４２で、カメラ部６０から取り込まれた撮影データよる転送データを生成する。例えば撮影データが静止画の場合、撮影データファイルに時計部６７で得られる撮影時刻データを付加して転送データとする。撮影データが動画の場合、映像データに付加されたタイムコードデータに加えて、時計部６７で得られる撮影開始の時刻データを付加して転送データとする。
そしてステップＦ４３で、その転送データをネットワークインターフェース６６によって映像制作装置１に送信させる。
【０１０３】
映像制作装置１では、撮影装置３αから送信されてきた撮影データを受信したら、ステップＦ５１として、当該撮影データ（撮影装置３αの撮影データ）を映像データベース１５を時刻データ（時刻Ａ）と共に格納する。
【０１０４】
一方、ユーザー端末２では、ステップＦ３２での送信を行った後、ステップＦ３３で顧客データを生成し、映像制作装置１に対して送信する。
即ち制御部４１は、上記ステップＦ３２で発信した識別コード（撮影装置３αの識別コード）と、その際に時計部４７で得られる時刻データ（時刻Ａ）、さらに記憶されている顧客ＩＤを含む顧客データを生成する。そして、その顧客データを例えば通信部４２により映像制作装置１に送信する。
なお、ユーザー端末２が近距離無線通信或いは有線接続などの手法で外部インターフェース４８からネットワーク６に接続できるのであれば、そのネットワーク６を介した通信により顧客データを送信するようにしても良い。
また、ユーザー端末２と撮影装置３αの通信時に、撮影装置３αの時計部６７で得られる時刻データがユーザー端末２に送信されるようにし、制御部４１は、受信した時刻データを識別コードと対応させて顧客データを生成するようにしてもよい。
【０１０５】
映像制作装置１では、受信部２３によりユーザー端末２からの顧客データを受信したら、ステップＦ５２として、送信されてきた顧客データ（顧客ＩＤ、時刻データ、識別コード）を、顧客データデータベース２２に格納する。顧客データデータベース２２では、顧客ＩＤを基準にして、時刻データ、識別コードを格納する。
【０１０６】
なお、ユーザー端末２から映像制作装置１に対する顧客データの送信は、撮影指示を行った直後に実行する必要はなく、例えばステップＦ３３では、生成した顧客データをメモリ部４３又は記録媒体９０に記憶しておき、後の時点で、記憶された１又は複数の顧客データを映像制作装置１に送信するようにしても良い。
【０１０７】
以上の図１８の処理が、例えば図５の位置Ｐ１（時刻Ａ）、位置Ｐ２（時刻Ｂ）、位置Ｐ３（時刻Ｃ）のそれぞれにおいて、ユーザーが撮影指示することに応じて行われる。
つまり、ユーザーがユーザー端末２から撮影装置３αに撮影指示を行うことに応じて、その際の撮影装置３αによる撮影データが時刻データとともに映像データベース１５に取り込まれるが、さらにその各時点での顧客データ（顧客ＩＤ、撮影装置３αの識別コード、時刻データ）が、所定時点で映像制作装置１に送信され、顧客データデータベース２２に記憶されるものとなる。
従って、各ユーザーの撮影装置３の各利用に対応する顧客データが、顧客データデータベース２２に蓄積されていくことになる。
また多数のユーザに対応するため、顧客データデータベース２２では顧客ＩＤを基準にして顧客データを蓄積する。
【０１０８】
或る利用者が図５で説明したように行動した後、自分の映像を含むパッケージ映像のサービスを受けたいと思った場合は、そのサービス受付窓口においてユーザー端末２（又は記録媒体９０）を提示することになる。
サービス受付窓口では、映像制作装置１としてのリーダ装置１１により、提出されたユーザー端末２（記録媒体９０）から顧客ＩＤを読み出し、その利用者個人のためのパッケージ映像の制作に移る。
この後の、映像制作装置１における映像制作処理手順は、上記第２のシステム例と同様である。つまり図１６で説明したとおりであるため、重複説明を避ける。
【０１０９】
このような第３のシステム例の場合も、上述した第１のシステム例の場合と同様の効果を得ることができる。
そしてこの場合も、ユーザー端末２においては、最低限顧客ＩＤのみが記憶できる機能が備えられていればよい。もちろん、顧客ＩＤに相当するデータが予め書き込まれた再生専用メディアを記録媒体９０として利用することもできる。
【０１１０】
３．各種変形例
以上、ユーザー端末２と撮影装置３による撮影システム、及びユーザー端末２と撮影装置３と映像制作装置１による撮影システムについて説明してきたが、本発明の実施の形態としては、さらに多様な例が考えられる。
【０１１１】
本発明による撮影システムによる映像サービス対象地区としては、テーマパーク、アトラクション施設、遊園地、水族館、動物園、観光施設、ゴルフ場、ゴルフ練習場、スキー場、ダイビング、運動会、カーレース、自動車教習所、スポーツジム、結婚式場、マラソン大会、カラオケボックス、コンサート、イベント会場、英会話教室、テニス、ダンス、お花教室、お料理教室、出産、幼稚園、卒業式、展示会、博覧会、自動車販売店、住宅展示場、家電販売店、インテリア販売店、化粧品販売店、デパート、貸し衣装店、ブティック、時計販売店など、多様な例が考えられる。
【０１１２】
また、ユーザー端末２と撮影装置３と映像制作装置１による撮影システムにおいては、テーマパーク等の或る施設内の例で説明し、さらに上記のように各種のサービス対象地区が考えられるが、サービス対象地区を或る施設等の範囲に限定しない例も考えられる。
例えば複数の撮影装置３を、観光地、都市、街などにおいてそれぞれ離れた位置に配置する。各撮影装置３はインターネットその他の通信網を利用して、事業者の映像制作装置１に撮影データを転送できるようにする。
例えば札幌、東京、名古屋、大阪、福岡、那覇・・・という各都市に、市街地の映像を映す撮影装置３を配する。ユーザーは自分のパーソナルコンピュータや携帯電話等のユーザー端末２から、任意に各都市に配置された撮影装置３を選択して撮影指示を行う。すると、上記例のように撮影が行われ、映像制作装置１においてそのユーザーが希望した撮影装置３の映像による映像コンテンツが制作され、ユーザーに提供されるといったことも可能となる。
【０１１３】
また、上記映像制作装置１を含むシステムの場合、ユーザー端末２における記録媒体９０としては、少なくとも顧客データ、時刻データ、識別コード等を記録保存するための記録媒体であり、そのデータ記録方式は問われない。例えば磁気的記録、電気的記録、穴あけ記録などにより保持されるものであればよい。特に第２のシステム例のように顧客ＩＤのみを記憶し、それをリーダ装置１１に読み取らせるものとする場合は、穴や切欠を施した紙や樹脂等によるものも採用が容易である。更には第２のシステム例のように記録媒体９０への書込を行わないのであれば、記録媒体９０は、バーコードにより顧客ＩＤを示した紙片等でも良いし、切欠や磁気により顧客ＩＤを表す鍵状のものでも良い。
【０１１４】
識別コードとは、電話番号、ＵＲＬ、ＩＰアドレス、ＧＰＳ位置情報、バーコード、個別の機器に付与されたＩＤ、コード、アドレス、プログラムなど、或いはこれらの組み合わせなどであるが、特定の施設、或いは特定のサービスにのみに専用の識別コードが設定されても良い。
例えばＩＰアドレスとプログラムを組み合わせることで、より複雑な撮影装置による撮影方法や、消費者に対する配信サービス方法を提供することが可能となる。
またユーザー端末２における識別コード、或いは上述した顧客ＩＤなどとして、ＩＰｖ４やＩＰｖ６などによるＩＰアドレスが利用されても良いことは述べたが、例えば映像制作装置１が制作したパッケージ映像を配信により利用者に提供する場合、利用者が所持するユーザー端末２を識別するために、ＩＰｖ４やＩＰｖ６によるＩＰアドレスを利用することができる。
また、利用者所有のユーザー端末２が携帯電話等の場合、通話料やインターネット接続料等の決済手段と同時に課金決済を済ませることもできる。
【０１１５】
また上記映像制作装置１を含むシステムの場合、ユーザー端末２内に記憶される顧客データ、或いは映像制作装置１に格納される顧客データなどを不正なアクセスや不正な利用から守るために、セキュリティ保護を図ることも考えられる。例えば顧客データを暗号化したり、顧客データとは別に暗号化チップが添付されていても良い。
また、ユーザー端末２に記憶される顧客データ、或いは映像制作装置１に格納される顧客データとしては、名前、生年月日、性別、住所、家族構成、勤務先、購入商品名、購入コンテンツ名、電話番号、メールアドレス、日付、時刻、場所（ゴルフ場・テーマパークなど）、アトラクション名、施設名、販売店名、利用回数、カード記録再生装置の装置番号、サービスされる映像音声データの希望配信先（宿泊先ホテルのＴＶ・個人の携帯電話・自宅のホームサーバなど）、購入した映像音声データの希望記録媒体（ＣＤ−Ｒ・ＤＶＤ−Ｒ・半導体メモリ・写真など）、購入した映像音声データの希望エンコード方式（ＭＰＥＧ１、ＭＰＥＧ２、ＭＰＥＧ４、Ｒｅａｌ社方式、マイクロソフト形式など）、購入した映像データの支払いのための決済手段（クレジットカード、銀行引き落とし、インターネットマネーなど）、上記端末に個別に割り振られたＩＰアドレス等が記録されているとなお良い。
【０１１６】
また、ユーザー端末２と撮影装置３によるシステムにおいて撮影装置３からユーザーサイドに配信される映像データ、或いは映像制作装置１を含むシステムにおいて制作される映像コンテンツには、音声データが含まれても良いことはもちろんである。即ち撮影装置３に設けられたマイクロホンによる音声や、或いはＢＧＭその他の音声データを含む映像がユーザーサイドに配信される。
また、撮影装置３は、ユーザー端末２からの撮影命令に関わらず、撮影自体は常時行うようにしてもよい。その場合、図１〜図４のシステムでは、ユーザー端末２からの撮影命令に応じて、撮影データをユーザー端末２に配信するものとなる。また図５〜図１８のシステムでは、ユーザー端末２からの撮影命令に応じて、撮影データを映像制作装置１に送信するものとなる。
【０１１７】
また、ユーザーが所有する携帯電話等の端末装置を各実施の形態のユーザー端末２として利用するためには、それぞれの例で述べた必要な動作処理を端末装置に実行させるアプリケーションソフトウエアが配布されるようにすればよい。
【０１１８】
【発明の効果】
以上の説明から理解されるように本発明によれば次のような各効果を得ることができる。
端末装置を所持する利用者は、特定の撮影装置の識別情報を入力することで、その撮影装置による撮影を実行させ、その撮影映像データを得ることができる。従って撮影装置の設置場所からの映像を撮影させることができ、ユーザーにとって多様な撮影が可能となる。例えばユーザーが立ち入ることのできない場所に設置されている撮影装置によって、ユーザーが立ち入ることのできない位置やアングルからの撮影映像を得ることや、遠隔地の撮影装置による撮影装置を得ることなど、通常は不可能な多様な撮影が可能となる。
さらに、そのような撮影は、撮影装置の識別情報を入力して撮影指示を送信するのみであるため、ユーザにとって非常に手軽に実行できる。
また、撮影装置による撮影映像については、ユーザーが所持する端末装置に送信しての表示させることで、ユーザーは即座に撮影映像を見ることができる。また端末装置において記録媒体に記録することで、ユーザーが撮影映像を適切に保存できるようになる。
また、端末装置側から映像転送先識別情報を送信し、撮影装置が撮影映像データを、映像転送先識別情報で示される装置に対して送信することで、例えばユーザーの指定する装置に撮影映像を送ることができ、ユーザーにとって好適である。
【０１１９】
さらには本発明では、ユーザーが撮影装置の識別情報を入力して指示した撮影による撮影映像を用いて、映像制作装置が映像コンテンツを制作し、ユーザーに提供できるシステムが構築される。
これにより、当該映像制作装置を備えた施設を利用するユーザーにとっては、設置されている撮影装置に対して任意に撮影を実行させていくことで、後にその撮影映像を用いた映像コンテンツを得ることができる。換言すれば、事業者側は、このような映像コンテンツの提供サービスを実現できる。
そしてこの場合、ユーザーは好みに応じて撮影装置に撮影を指示していく（識別情報を入力する）のみでよく、また最終的に完成された映像コンテンツを受け取るものであるため特に撮影の都度、待ち時間が課せられるものでもない。
また、利用者は、所有する携帯電話、個人情報端末（ＰＤＡ）、パーソナルコンピュータなどの情報処理装置を、端末装置として利用できるため、利用者にとって簡便で、初期投資をすることなく、映像サービスを利用することもできる。
さらに事業者側にとっては、施設内の各場所で映像サービス提供のための販売施設やスタッフを配置する必要がなくなり、コスト的な負担や業務作業負担が軽減される。また利用者からのサービス提供要求があった際には、その利用者の各場所での映像をまとめてパッケージ映像として処理し、提供できるため、利用者一人に対する提供業務が効率化され、ひいてはサービス業務全体の効率化が実現される。
そしてこれらによって、利用者、事業者双方にとって効率的な映像提供サービスが実現される。
【０１２０】
また、映像制作装置に対して、映像抽出に用いる利用者情報を提供する方式としては、端末装置側で記録媒体に利用者情報を記録し、その記録媒体を映像制作装置において読み出す方式とすることで、利用者情報に関するデータ漏洩や不正利用の心配がないという利点がある。
一方、端末装置或いは撮影装置から利用者情報を映像制作装置に送信する場合は、端末装置側で利用者情報を記憶保持する必要はなく、端末装置が小容量の記録媒体しか備えていなくても上記サービスを利用できる。
また映像制作は、利用者情報として提供された時刻データと撮影装置の識別情報に基づいて映像が抽出されて行われるため、基本的に利用者が匿名であっても映像サービスを利用可能で、利用者のプライバシー保護にも好適である。
【０１２１】
さらに、抽出した利用者の行動に応じた映像に、付加映像を加えてパッケージ映像を制作するようにすれば、より高品位な映像作品として利用者に提供できるものとなり、サービス価値が向上する。
また通信回線を介して映像コンテンツを配信することで、利用者はその場で映像コンテンツを受け取る必要が無く、従って映像制作のための待ち時間は全く必要なくなる。
一方で、ディスクなどの可搬性メディアによって映像コンテンツを受け取る場合は、利用者は配信先のアドレス等を事業者に伝える必要もないため、完全な匿名性を保ったまま映像サービスを受けることができる。
【図面の簡単な説明】
【図１】本発明の端末装置と撮影装置による撮影システムの実施の形態の基本構成の説明図である。
【図２】実施の形態の撮影装置の配置例の説明図である。
【図３】実施の形態のユーザー端末と撮影装置の構成のブロック図である。
【図４】実施の形態のユーザー端末と撮影装置の動作のフローチャートである。
【図５】本発明の端末装置と撮影装置と映像制作装置による撮影システムの実施の形態の構成の説明図である。
【図６】実施の形態のユーザー端末と撮影装置の構成のブロック図である。
【図７】実施の形態の第１のシステム例での映像制作装置のブロック図である。
【図８】実施の形態の第１のシステム例でのユーザー端末と撮影装置と映像制作装置の動作のフローチャートである。
【図９】実施の形態のユーザ端末に記憶された顧客データの説明図である。
【図１０】実施の形態の第１のシステム例での映像制作処理のフローチャートである。
【図１１】実施の形態の映像抽出データベース作成処理のフローチャートである。
【図１２】実施の形態の映像抽出データベース作成処理の説明図である。
【図１３】実施の形態のパッケージ映像の制作までの過程の説明図である。
【図１４】実施の形態の第２のシステム例での映像制作装置のブロック図である。
【図１５】実施の形態の第２のシステム例でのユーザー端末と撮影装置と映像制作装置の動作のフローチャートである。
【図１６】実施の形態の第２、第３のシステム例での映像制作処理のフローチャートである。
【図１７】実施の形態の第３のシステム例での映像制作装置のブロック図である。
【図１８】実施の形態の第３のシステム例でのユーザー端末と撮影装置と映像制作装置の動作のフローチャートである。
【符号の説明】
１  映像制作装置、２  ユーザー端末、３，３α，３β，３γ  撮影装置、６ネットワーク、１１  リーダ装置、１２  顧客データ処理部、１３  映像抽出／編集管理部、１４  撮影管理部、１５  映像データベース、１６  映像記録管理部、１７  映像記録装置、１８  配信管理部、１９  配信装置、２０  課金管理部、２１  顧客データ管理部、２２  顧客データデータベース、２３、受信部、４１  制御部、４２  通信部、４３  メモリ部、４４  メディアドライブ、４５  表示部、４６  操作部、４７  時計部、６０  カメラ部、６１  制御・通信部、６２  通信部、６３  制御部、６４  メモリ部、６５  メディアドライブ、６６  ネットワークインターフェース、６７  時計部
【図１】
2004320441.tif 000003
【図２】
2004320441.tif 000004
【図３】
2004320441.tif 000005
【図４】
2004320441.tif 000006
【図５】
2004320441.tif 000007
【図６】
2004320441.tif 000008
【図７】
2004320441.tif 000009
【図８】
2004320441.tif 000010
【図９】
2004320441.tif 000011
【図１０】
2004320441.tif 000012
【図１１】
2004320441.tif 000013
【図１２】
2004320441.tif 000014
【図１３】
2004320441.tif 000015
【図１４】
2004320441.tif 000016
【図１５】
2004320441.tif 000017
【図１６】
2004320441.tif 000018
【図１７】
2004320441.tif 000019
【図１８】
2004320441.tif 000020